(57)【要約】【課題】発電所等において異常事態が発生した際に、迅速に担当者を招集できるようにする。【解決手段】警報システム１０は、各担当者の机上に設置された複数の警報装置２０と、警報装置と通信可能に接続された起動装置３０と、により構成され、起動装置３０は、予め、複数の異常事態の種別が記録され、当該記録された異常事態の種別の中から発生した異常事態に該当する種別の選択を受け付ける入力受付部３１と、複数の異常事態の種別と、異常事態の種別に対応して対応すべき担当者を識別するため担当者識別情報とが対応付けられて記録された起動情報データベース３３と、起動情報データベース３３を参照して、入力受付部３１が受け付けた選択された異常事態の種別に対応付けられた担当者識別情報を取得し、担当者識別情報に該当する担当者の机上に設置された警報装置２０を起動させる警報装置起動部３２とを備える。【選択図】図１
2010165044.tif 000002
【特許請求の範囲】
【請求項１】
各担当者の机上に設置された警報装置と、当該警報装置と通信可能に接続された起動装置と、により構成され、
前記起動装置は、
予め、設定された異常事態の種別の中から発生した異常事態に該当する種別の選択を受け付ける入力受付部と、
前記起動装置は、複数の異常事態の種別と、当該異常事態の種別に対応して対応すべき担当者を識別するため担当者識別情報とが対応付けられて記録された起動情報データベースと、
前記起動情報データベースを参照して、前記入力受付部が受け付けた選択された異常事態の種別に対応付けられた担当者識別情報を取得し、当該担当者識別情報に該当する担当者の机上に設置された警報装置を起動させる警報装置起動部とを備えることを特徴とする警報システム。
【請求項２】
各担当者の机上に設置された警報装置と、当該警報装置と通信可能に接続された起動装置と、により構成され、
前記起動装置は、予め、設定された複数の異常事態の種別に対応して設けられたスイッチを備え、
前記スイッチをＯＮ状態にすることで、対応付けられた異常事態の種別に対応するべき担当者の机上に設置された警報装置が起動することを特徴とする警報システム。
【発明の詳細な説明】
【技術分野】
【０００１】
本発明は、異常事態の種別に応じて、対応すべき担当者を招集するためのシステムに関する。
【背景技術】
【０００２】
従来より、発電所などにおいて、異常事態が発生した際には、異常事態の種別に応じた対応担当者を招集して対応策の検討を行っている。このような対応担当者への招集の連絡は電話を用いて行っている。
【発明の概要】
【発明が解決しようとする課題】
【０００３】
しかしながら、上記のように電話により担当者を招集する方法では、例えば、担当者が長時間電話を使用している場合には、招集の連絡を行うことができず、集合が遅れるなどの問題が生じている。
【０００４】
本願発明は、上記の問題に鑑みなされたものであり、その目的は、異常事態が発生した際に迅速に担当者を招集できるようにすることである。
【課題を解決するための手段】
【０００５】
本発明の警報システムは、各担当者の机上に設置された警報装置と、当該警報装置と通信可能に接続された起動装置と、により構成され、前記起動装置は、予め、設定された異常事態の種別の中から発生した異常事態に該当する種別の選択を受け付ける入力受付部と、前記起動装置は、複数の異常事態の種別と、当該異常事態の種別に対応して対応すべき担当者を識別するため担当者識別情報とが対応付けられて記録された起動情報データベースと、前記起動情報データベースを参照して、前記入力受付部が受け付けた選択された異常事態の種別に対応付けられた担当者識別情報を取得し、当該担当者識別情報に該当する担当者の机上に設置された警報装置を起動させる警報装置起動部とを備えることを特徴とする。
【０００６】
また、本発明の警報システムは、各担当者の机上に設置された警報装置と、当該警報装置と通信可能に接続された起動装置と、により構成され、前記起動装置は、予め、設定された複数の異常事態の種別に対応して設けられたスイッチを備え、前記スイッチをＯＮ状態にすることで、対応付けられた異常事態の種別に対応するべき担当者の机上に設置された警報装置が起動することを特徴とする。
【発明の効果】
【０００７】
本発明によれば、異常事態が発生した場合に、その異常事態の種類を入力することで、集合すべき担当者の警報装置が警報を発するため、迅速に担当者を招集することができる。
【図面の簡単な説明】
【０００８】
【図１】本実施形態の警報システムの構成を示す図である。
【図２】本実施形態の警報システムにより、異常事態の発生から担当者を招集するまでの流れを説明するためのフローチャートである。
【発明を実施するための形態】
【０００９】
以下、本発明の警報システムの一実施形態を図面を参照しながら詳細に説明する。
図１は、本実施形態の警報システム１０の構成を示す図である。本実施形態の警報システム１０は、発電所などの設備において、異常事態が発生した際に、異常事態に対応する担当者を招集するためのものである。同図に示すように、本実施形態の警報システム１０は、各担当者の机上に配置された警報装置２０と、各警報装置２０と通信可能に接続された起動装置３０とにより構成される。
【００１０】
警報装置２０は、異なる色の複数の小型の回転灯２１を備える。これら回転灯２１は、色ごとに異常事態の種別と対応付けられている。後述するように起動装置３０の回転灯起動部３１から発生した異常事態の種別に関する情報を含む起動信号を受信すると、種別情報に対応する色の回転灯２１を起動させる。
【００１１】
起動装置３０は、入力受付部３２と、起動情報データベース３３と、回転灯起動部３１とにより構成される。
入力受付部３２は、予め、起こりうる異常事態の種別が設定されており、これら異常事態の種別の選択を受け付ける。
【００１２】
起動情報データベース３３は、異常事態の種別と、種別ごとの異常事態が生じた際に招集の対象となる担当者を識別する担当者識別情報とが対応付けられて記録されている。
【００１３】
回転灯起動部３１は、起動情報データベース３３を参照して、入力受付部３２が受け付けた異常事態の種別に対応付けられて記録された担当者識別情報を取得する。そして、取得した担当者識別情報に対応する担当者の机上に設置された警報装置２０に異常事態の種別に関する情報を含む起動信号を送信する。
【００１４】
なお、起動装置３０は例えば、コンピュータからなり、構成部３１、３２はコンピュータがメモリに記録されたプログラムを実行することにより実現される。また、データベース３３としてはハードディスク等を用いることができる。
【００１５】
以下、本実施形態の警報システム１０により、異常事態の発生から担当者を招集するまでの流れを図２を参照しながら説明する。
まず、ＳＴＥＰ０において、発電所において異常事態が発生したとする。
発電所の監視員は異常事態の発生を検知すると、ＳＴＥＰ１において、起動装置３０の入力受付部３２に設定された異常事態の種別から、発生した異常事態に該当する異常事態の種別を選択し、入力受付部３２は作業員による異常事態の種別の入力を受け付ける。
【００１６】
次に、ＳＴＥＰ２において、回転灯起動部３１は、起動情報データベース３３を参照して、入力受付部３２が受け付けた異常事態の種別に対応付けられて記録された担当者識別情報を取得する。
【００１７】
次に、ＳＴＥＰ３において、回転灯起動部３１は、取得した担当者識別情報に対応する担当者の机上に設置された警報装置２０へ、異常事態の種別に関する情報を含む起動信号を送信する。
次に、ＳＴＥＰ４において、警報装置２０は、起動信号を受信すると、起動信号に含まれる異常事態の種別に関する情報に対応する異常事態の種別を示す色の回転灯２１を点灯する。担当者は、警報装置２０の回転灯が点灯することにより、異常事態が発生したため、集合すべきことを知ることができる。さらに、点灯した回転灯２１の色により異常事態の種別についての情報も取得することができるため、その種別に応じた対応をとることができる。
【００１８】
以上説明したように、本実施形態によれば、異常事態が発生すると、異常事態に対応すべき担当者の警報装置２０の回転灯２１が点灯する。これにより、担当者は異常事態が発生することを認知するため、迅速に異常事態に対応すべき担当者を招集させることができる。
【００１９】
また、警報装置２０に種別に応じた複数の回転灯２１を設けておくことにより、担当者は、異常事態に対する対応の種別を把握することができる。
【００２０】
なお、本実施形態では、警報装置２０に回転灯２１を取り付けておき、異常事態が発生した際には回転灯２１を点灯させることとしたが、これに限らず、警報装置にＬＥＤランプなどを取り付けておき、異常事態が発生した際にはＬＥＤランプを点灯してもよく、要するに、担当者が認知可能であればよい。
【００２１】
また、本実施形態では、コンピュータを用いたシステムにより異常事態の種別に対応する担当者の回転灯を点灯させる構成としたが、これに限らず、例えば、異常事態の種別ごとにスイッチを設けておき、このスイッチを押す（ＯＮ状態にする）と、該当する異常事態の種別に対応すべき担当者の机上に設置された警報装置の回転灯に電気が供給され、回転灯が点灯する構成としてもよい。
【符号の説明】
【００２２】
１０  警報システム
２０  警報装置
２１  回転灯
３０  起動装置
３１  回転灯起動部
３２  入力受付部
３３  起動情報データベース
【図１】
2010165044.tif 000003
【図２】
2010165044.tif 000004